(57)【要約】【課題】画像形成装置を提供すること。【解決手段】画像形成装置１００において、感光体１２３と、除電光を照射する除電光源１１０と、前記除電光の遮断位置、および前記遮断位置から離隔した遮断解除位置の間を移動する除電光源調節部１４０とを含み、前記遮断位置に前記除電光源調節部が移動すると前記感光体の表面へ到達する前記除電光の全体あるいは一部が遮断され、前記遮断解除位置に前記除電光源調節部が移動すると前記除電光が前記感光体表面に到逹することを特徴とする。【選択図】図３ａ
2008197628.tif 000002
【特許請求の範囲】
【請求項１】
画像形成装置において：
感光体と；
除電光を照射する除電光源と；
前記除電光の遮断位置、および前記遮断位置から離隔した遮断解除位置の間を移動する除電光源調節部と；
を含み、
前記遮断位置に前記除電光源調節部が移動すると前記感光体の表面へ到達する前記除電光の全部或いは一部が遮断され、前記遮断解除位置に前記除電光源調節部が移動すると前記除電光が前記感光体表面に到逹することを特徴とする、画像形成装置。
【請求項２】
前記感光体、前記除電光源、及び前記除電光源調節部を収容する本体と；
前記本体に離隔及び接近移動可能に備えられる移動部材と；
をさらに含み、
前記除電光源調節部は、
前記除電光源を支持する光源支持部材と；
前記除電光源と前記感光体の表面との間の光経路上に備えられ、前記移動部材の離隔及び接近移動に連動してそれぞれ前記遮断位置及び前記遮断解除位置に移動する光遮断部材と；
を含むことを特徴とする、請求項１に記載の画像形成装置。
【請求項３】
前記本体は開口を有し、
前記移動部材は、前記開口を開放及び閉鎖するカバーであることを特徴とする、請求項２に記載の画像形成装置。
【請求項４】
前記移動部材と前記光遮断部材との間に介し、前記移動部材の移動に連動して前記光遮断部材を移動させる伝達部をさらに含むことを特徴とする、請求項２または３に記載の画像形成装置。
【請求項５】
前記移動部材は前記感光体側に突出したアクチュエータを含み、
前記伝達部は、前記アクチュエータに接触及び接触解除することによって、前記光遮断部材を前記遮断解除位置及び前記遮断位置に移動させるリンクを含むことを特徴とする、請求項４に記載の画像形成装置。
【請求項６】
前記リンクは、
前記アクチュエータに接触及び接触解除することによって第１位置及び第２位置に回転する第１リンクと；
前記第１リンクに接続され、前記第１リンクが前記第１位置及び前記第２位置に移動することによって、前記光遮断部材を前記遮断解除位置及び前記遮断位置に移動させる第２リンクと；
を含むことを特徴とする、請求項５に記載の画像形成装置。
【請求項７】
前記感光体、前記除電光源、及び前記除電光源調節部を収容し、開口を有する本体と；
前記開口を開放及び閉鎖可能に備えられるカバーと；
をさらに含み、
前記除電光源調節部は、前記除電光源を支持し、前記カバーの開閉に連動してそれぞれ前記遮断位置及び前記遮断解除位置に移動する光源支持部材を含むことを特徴とする、請求項１に記載の画像形成装置。
【請求項８】
前記カバーと前記光源支持部材との間に介し、前記カバーの開閉動作に連動して前記光源支持部材を移動させる伝達部をさらに含むことを特徴とする、請求項７に記載の画像形成装置。
【請求項９】
前記カバーは、前記感光体側に突出したアクチュエータを含み、
前記伝達部は、前記アクチュエータに接触及び接触解除することによって、前記光源支持部材を前記遮断解除位置及び前記遮断位置に移動させるリンクを含むことを特徴とする、請求項８に記載の画像形成装置。
【請求項１０】
前記リンクは、
前記アクチュエータに接触及び接触解除することによって第１位置及び第２位置に回転する第１リンクと；
前記第１リンクに連結され、前記第１リンクが前記第１位置及び前記第２位置に移動することによって、前記光遮断部材を前記遮断解除位置及び前記遮断位置に移動させる第２リンクと；
を含むことを特徴とする、請求項９に記載の画像形成装置。
【請求項１１】
前記光源支持部材は、回動可能に備えられることを特徴とする、請求項７〜１０のうちのいずれか一項に記載の画像形成装置。
【請求項１２】
前記光源支持部材は、スライド移動可能に備えられることを特徴とする、請求項７〜１０のうちのいずれか一項に記載の画像形成装置。
【請求項１３】
画像形成装置の制御方法において、感光体を帯電させる段階と；
前記感光体の表面に静電濳像を生成する光に前記感光体を露出させる段階と；
前記感光体に可視画像が生成されるよう前記感光体に現象剤を塗布する段階と；
印刷媒体に前記可視画像を転写させる段階と；
前記感光体に残留している前記静電潛像を除去するために除電光源の光に前記感光体を露出させる段階と；
前記除電光源と前記感光体との間の光経路を遮断できるよう前記除電光源と前記感光体との間に光遮断部材を介在させる段階と；
を含むことを特徴とする、画像形成装置の作動方法。
【請求項１４】
前記除電光源の光に前記感光体を露出させる段階は、前記除電光源が第１位置にある時に前記感光体を露出させる段階を含み、
前記光遮断部材を介在させる段階は、前記除電光源を前記第１位置から第２位置へ移動させる段階を含むことを特徴とする、請求項１３に記載の画像形成装置の作動方法。
【請求項１５】
前記除電光源の光に前記感光体を露出させる段階は、前記除電光源の光を前記光経路に沿って放出させる段階を含み、
前記光遮断部材を介在させる段階は、前記光経路で前記光遮断部材を移動させる段階を含むことを特徴とする、請求項１３に記載の画像形成装置の作動方法。
【請求項１６】
前記光遮断部材を介在させる段階は、前記除電光源が設置された除電光源支持部材を回転させる段階を含むことを特徴とする、請求項１３に記載の画像形成装置の作動方法。
【請求項１７】
前記光遮断部材を介在させる段階は、前記画像形成装置の本体に設けられたカバーが開放されてから開始することを特徴とする、請求項１３に記載の画像形成装置の作動方法。
【請求項１８】
前記光遮断部材を介在させる段階は、
前記カバーの開放されることを感知する段階と；
前記感知の結果によって前記光遮断部材を介在させる段階と；
を含むことを特徴とする、請求項１７に記載の画像形成装置の作動方法。
【請求項１９】
前記光遮断部材を介在させる段階は、
前記光遮断部材が前記光経路を遮断しない第１位置から前記除電光源の光が前記感光体に到達することを遮断する第２位置へ移動するように、前記除電光源が設置された除電光源支持部材と前記光遮断部材との中のいずれの一つを解放させる段階を含むことを特徴とする、請求項１７に記載の画像形成装置の作動方法。
【請求項２０】
画像形成装置において、
感光体と；
前記感光体に静電潛像が形成されるよう前記感光体に第１光を走査する光走査装置と；
前記静電潛像が形成された前記感光体に第２光を走査して前記感光体の表面電位を変化させる電位可変光源と；
前記電位可変光源と前記感光体の間に選択的に介在される光遮断部材と；
を含むことを特徴とする、画像形成装置。
【請求項２１】
前記光遮断部材は前記電位可変光源を支持する光源支持片を含み、前記光源支持片は前記第２光が前記感光体へ選択的に到達するよう前記電位可変光源と一緒に回転するように設けられたことを特徴とする、請求項２０に記載の画像形成装置。
【請求項２２】
前記電位可変光源および前記光遮断部材の中で少なくとも一つが移動可能に設置されることを特徴とする、請求項２０に記載の画像形成装置。
【請求項２３】
画像形成装置の現像カートリッジにおいて、
ケイシングと；
前記ケイシングの内部に配置された感光体と；
前記ケイシングに形成され、外部の除電光源の除電光が通過する除電光通過開口と；
印加される外力によって選択的に前記除電光通過開口を開放或いは遮断させる調節部と；
を含むことを特徴とする、画像形成装置の現像カートリッジ。
【請求項２４】
外観を形成する本体を持つ画像形成装置において、
感光体と；
前記感光体に向かって除電光を出力する除電光源と；
前記感光体と前記除電光源との間に配置されたフレイムと；
前記フレイムに設けられて前期除電光が通過する除電光通過開口と；前記除電光通過開口を選択的に開放或いは遮断する調節部と；
前記本体に設置され、開閉されることによって其々の前記調節部が前記除電光通過開口を開放或いは遮断できるように前記調節部に外力を与えるカバーと；
を含むことを特徴とする、画像形成装置。
【発明の詳細な説明】
【技術分野】
【０００１】
本発明は、画像形成装置に関する。
【背景技術】
【０００２】
電子写真方式の画像形成装置は、帯電−露光−現像−転写−定着の過程を経ながら印刷媒体に画像を形成する電子装置であって、レーザプリンタ、コピー機、複合機などがある。
従来の画像形成装置１は、図１及び図２に示すように、複数の除電光源１０、現像カートリッジ２０Ｃ、２０Ｋ、転写ローラ３３Ｃ、３３Ｋ、及び光走査装置４３Ｃ、４３Ｋを有する。ここで、参照番号３５は、感光体シャッター、２５Ｋ及び２５Ｃはクリーニングブレードである。
【０００３】
各現像カートリッジ２０Ｃ、２０Ｋは、それぞれシアン（ｃｙａｎ）及びブラック（ｂｌａｃｋ）色相のトナーを保存するケーシング２４Ｃ、２４Ｋ、前記ケーシング２４Ｃ、２４Ｋには、それぞれ帯電ローラ２１Ｃ、２１Ｋ、現像ローラ２２Ｃ、２２Ｋ、及び感光体２３Ｃ、２３Ｋが収容される。一方、画像形成装置１は、カラー画像を形成するために、イエロ及びマゼンタ色相のトナーを保存するイエロ及びマゼンタ現像カートリッジ（図示せず）をさらに含む。
【０００４】
感光体２３Ｃ、２３Ｋは、帯電ローラ２１Ｃ、２１Ｋによって所定の表面電位に帯電される。そして、前記光走査装置４３Ｃ、４３Ｋは、シアン及びマゼンタ色相の画像情報に対応する光を前記帯電された各感光体２３Ｃ、２３Ｋの表面に走査する。これによって、各感光体２３Ｃ、２３Ｋには、シアン及びブラック色相の画像情報に対応する静電潜像が形成される。
【０００５】
このような静電潜像は、現像ローラ２２Ｃによってそれぞれシアン及びブラック色相のトナーで現像され、シアン及びブラック色相のトナーで構成された可視画像が各感光体２３Ｃ、２３Ｋに形成される。
【０００６】
イエロ及びマゼンタ現像カートリッジ（図示せず）に収容された感光体（図示せず）にも、上述したような方式によってイエロ及びマゼンタ色相の可視画像が形成される。各感光体２３Ｃ、２３Ｋ上のイエロ、マゼンタ、シアン、及びブラックトナーの可視画像は、感光体２３Ｃ、２３Ｋと転写ローラ３３Ｃ、３３Ｋとの間を通過する印刷媒体Ｐに重畳的に転写されることによって完全なカラー画像が形成される。
【０００７】
転写後に残存する各感光体２３Ｃ、２３Ｋの静電潜像は、除電光源１０によって露光されて除電される。除電光源１０は一つのＬＥＤとして備えられ、各感光体２３Ｃ、２３Ｋの長手方向に除電光を照射する。このような除電方式は、例えば特許文献１に詳しく記載されているので、詳細な説明は略する。
【０００８】
【特許文献１】特開２００６−３０８５６号公報
【発明の開示】
【発明が解決しようとする課題】
【０００９】
しかし、前記除電光源１０が誤作動する場合、つまり、使用者がカバーを開放する場合に除電光源１０の電源がＯＦＦにならなければならないが、除電光源１０が光を続けて照射する場合に使用者が直接的に光に露出する恐れがある。
【００１０】
そこで、本発明は、上記問題に鑑みてなされたものであり、本発明の目的とするところは、除電光源が誤作動しても、使用者が光に露出することを安全に防止可能な、新規かつ改良された画像形成装置を提供することにある。
【課題を解決するための手段】
【００１１】
上記課題を解決するために、本発明のある観点によれば、画像形成装置において、感光体と、除電光を照射する除電光源と、前記除電光の遮断位置、および前記遮断位置から離隔した遮断解除位置の間を移動する除電光源調節部とを含み、前記遮断位置に前記除電光源調節部が移動すると前記感光体の表面へ到達する前記除電光が遮断され、前記遮断解除位置に前記除電光源調節部が移動すると前記除電光が前記感光体表面に到逹することを特徴とする、画像形成装置が提供される。
【００１２】
前記感光体、前記除電光源、及び前記除電光源調節部を収容する本体と、前記本体に離隔及び接近移動可能に備えられる移動部材と、をさらに含み、前記除電光源調節部は、前記除電光源を支持する光源支持部材と、前記除電光源と前記感光体の表面との間の光経路上に備えられ、前記移動部材の離隔及び接近移動に連動してそれぞれ前記遮断位置及び前記遮断解除位置に移動する光遮断部材とを含んでもよい。
【００１３】
前記本体は開口を有し、前記移動部材は、前記開口を開放及び閉鎖するカバーであってもよい。
【００１４】
前記移動部材と前記光遮断部材との間に介し、前記移動部材の移動に連動して前記光遮断部材を移動させる伝達部をさらに含んでもよい。
【００１５】
前記移動部材は前記感光体側に突出したアクチュエータを含み、前記伝達部は、前記アクチュエータに接触及び接触解除することによって、前記光遮断部材を前記遮断解除位置及び前記遮断位置に移動させるリンクを含んでもよい。
【００１６】
前記リンクは、前記アクチュエータに接触及び接触解除することによって第１位置及び第２位置に回転する第１リンクと、前記第１リンクに接続され、前記第１リンクが前記第１位置及び前記第２位置に移動することによって、前記光遮断部材を前記遮断解除位置及び前記遮断位置に移動させる第２リンクと、を含んでもよい。
【００１７】
前記感光体、前記除電光源、及び前記除電光源調節部を収容し、開口を有する本体と、前記開口を開放及び閉鎖可能に備えられるカバーとをさらに含み、前記除電光源調節部は、前記除電光源を支持し、前記カバーの開閉に連動してそれぞれ前記遮断位置及び前記遮断解除位置に移動する光源支持部材を含んでもよい。
【００１８】
前記カバーと前記光源支持部材との間に介し、前記カバーの開閉動作に連動して前記光源支持部材を移動させる伝達部をさらに含んでもよい。
【００１９】
前記カバーは、前記感光体側に突出したアクチュエータを含み、前記伝達部は、前記アクチュエータに接触及び接触解除することによって、前記光源支持部材を前記遮断解除位置及び前記遮断位置に移動させるリンクを含んでもよい。
【００２０】
前記リンクは、前記アクチュエータに接触及び接触解除することによって第１位置及び第２位置に回転する第１リンクと、前記第１リンクに連結され、前記第１リンクが前記第１位置及び前記第２位置に移動することによって、前記光遮断部材を前記遮断解除位置及び前記遮断位置に移動させる第２リンクと、を含んでもよい。
【００２１】
前記光源支持部材は、回動可能に備えられてもよい。
【００２２】
前記光源支持部材は、スライド移動可能に備えられてもよい。
【００２３】
また上記課題を解決するために、本発明の別の観点によれば、画像形成装置の制御方法において、感光体を帯電させる段階と、前記感光体の表面に静電潛像を生成する光に前記感光体を露出させる段階と、前記感光体に可視画像が生成されるよう前記感光体に現象剤を塗布する段階と、印刷媒体に前記可視画像を転写させる段階と；前記感光体に残留している前記静電潛像を除去するために除電光源の光に前記感光体を露出させる段階と、前記除電光源と前記感光体との間の光経路を遮断できるよう前記除電光源と前記感光体との間に光遮断部材を介在させる段階と含むことを特徴とする、画像形成装置の制御方法が提供される。
【００２４】
前記除電光源の光に前記感光体を露出させる段階は、前記除電光源が第１位置にある時に 前記感光体を露出させる段階を含み、前記光遮断部材を介在させる段階は、前記除電光源を前記第１位置から第２位置へ移動させる段階を含んでもよい。
【００２５】
前記除電光源の光に前記感光体を露出させる段階は、前記除電光源の光を前記光経路に沿って放出させる段階を含み、前記光遮断部材を介在させる段階は、前記光経路で前記光遮断部材を移動させる段階を含んでもよい。
【００２６】
前記光遮断部材を介在させる段階は、前記除電光源が設置された除電光源支持部材を回転させる段階を含んでもよい。
【００２７】
前記光遮断部材を介在させる段階は、前記画像形成装置の本体に設けられたカバーが開放されてから開始する
。
【００２８】
前記光遮断部材を介在させる段階は、前記カバーの開放されることを感知する段階と；前記感知の結果によって前記光遮断部材を介在させる段階とを含んでもよい。
【００２９】
前記光遮断部材を介在させる段階は、前記光遮断部材が前記光経路を遮断しない第１位置から前記除電光源の光が前記感光体に到達することを遮断する第２位置へ移動するように、前記除電光源が設置された除電光源支持部材と前記光遮断部材との中のいずれの一つを解放させる段階を含んでもよい。
【００３０】
また上記課題を解決するために、本発明の別の観点によれば、画像形成装置において、感光体と、前記感光体に静電潛像が形成されるよう前記感光体に第１光を走査する光走査装置と、前記静電潛像が形成された前記感光体に第２光を走査して前記感光体の表面電位を変化させる電位可変光源と、前記電位可変光源と前記感光体の間に選択的に介在される光遮断部材とを含むことを特徴とする、画像形成装置が提供される。
前記光遮断部材は前記電位可変光源を支持する光源支持片を含み、前記光源支持片は前記第２光が前記感光体へ選択的に到達するよう前記電位可変光源と一緒に回転するように設けられてもよい 。
【００３１】
前記電位可変光源および前記光遮断部材の中で少なくとも一つが移動可能に設置されてもよい 。
【００３２】
また上記課題を解決するために、本発明の別の観点によれば、画像形成装置の現像カートリッジにおいて、ケイシングと、前記ケイシングの内部に配置された感光体と、前記ケイシングに形成され、外部の除電光源の除電光が通過する除電光通過開口と、印加される外力によって選択的に前記除電光通過開口を開放或いは遮断させる調節部とを含むことを特徴とする、画像形成装置の現像カートリッジが提供される。
【００３３】
また上記課題を解決するために、本発明のある観点によれば、外観を形成する本体を持つ画像形成装置において、感光体と、前記感光体に向かって除電光を出力する除電光源と、前記感光体と前記除電光源との間に配置されたフレイムと、前記フレイムに設けられて前期除電光が通過する除電光通過開口と、前記除電光通過開口を選択的に開放或いは遮断する調節部と、前記本体に設置され、開閉されることによって其々の前記調節部が前記除電光通過開口を開放或いは遮断できるように前記調節部に外力を与えるカバーとを含むことを特徴とする、画像形成装置が提供される。
【発明の効果】
【００３４】
以上説明したように本発明によれば、除電光源が誤作動しても、使用者が光に露出することを安全に防止できる。
【発明を実施するための最良の形態】
【００３５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３６】
本実施形態の具体的内容を説明する前に、本実施形態の目的を整理する。図１および図２に示した前記除電光源１０が誤作動する場合、つまり、使用者がカバーを開放する場合に除電光源１０の電源がＯＦＦにならなければならないが、除電光源１０が光を続けて照射する場合に使用者が直接的に光に露出する恐れがある。
【００３７】
また、前記除電光源１０の誤作動によって現像カートリッジ２０Ｃ、２０Ｋ内の感光体２３Ｃ、２３Ｋが損傷を受け得る。さらに、カバーの開放によって流入した異物が前記除電光源１０に付着して、除電光源１０が汚染する恐れがある。
【００３８】
そこで、上記のような事情に鑑みて本実施形態を創作するに至った。本実施形態の目的は、除電光源が誤作動しても、使用者が光に露出することを安全に防止することにある。また、本実施形態の他の目的は、除電光源が誤作動しても、感光体に与え得る損傷を最小化できる画像形成装置を提供することにある。さらに、本実施形態の他の目的は、除電光源が異物によって汚染することが防止できる画像形成装置を提供することにある。
【００３９】
（第１実施形態）
図３ａは、カバー１０３を開放した場合の画像形成装置の概略側面図であり、図３ｂは、図３ａのＩＩＩ部分の要部平面図である。図４ａは、カバー１０３を閉鎖した場合の画像形成装置の概略側面図であり、図４ｂは、図４ａのＩＶ部分の要部平面図である。そして、図４ａにおいては、便宜上、図３ａの本体１０１及び給紙カセット１７０を省略した。
【００４０】
本発明の第１実施形態による画像形成装置１００は、図３ａ〜図５に示すように、本体１０１、カバー１０３、複数の除電光源１１０、現像カートリッジ１２０Ｙ、１２０Ｍ、１２０Ｃ、１２０Ｋ、転写ローラ１３３Ｙ、１３３Ｍ、１３３Ｃ、１３３Ｋ、複数の除電光源調節部１４０、印刷媒体移送部１６０、及び給紙カセット１７０を含む。
【００４１】
印刷媒体移送部１６０は、給紙カセット１７０に積載された印刷媒体を、各現像カートリッジ１２０Ｙ、１２０Ｍ、１２０Ｃ、１２０Ｋ（以下‘１２０’という）の感光体１２３Ｙ、１２３Ｍ、１２３Ｃ、１２３Ｋ（以下‘１２３’という）と転写ローラ１３３Ｙ、１３３Ｍ、１３３Ｃ、１３３Ｋ（以下‘１３３’という）と間に移送する。
【００４２】
印刷媒体移送部１６０は、媒体移送ベルト１６１、印刷媒体が媒体移送ベルト１６１に付着されるように印刷媒体に静電気を発生させる媒体吸着ローラ１６２、媒体移送ベルト１６１を駆動する駆動ローラ１６５、及び複数の被動ローラ１６３、１６７、１６９を含む。
【００４３】
カバー１０３は、本体１０１の開口を開放及び閉鎖するように移動可能に備えられる。図３ａ及び図４ａに示すように、カバー１０３はヒンジＨを中心に開放Ｂ及び閉鎖Ｆするように回転可能に設けられてもよい。カバー１０３は必要に応じ、回転でないスライディングまたは回動可能に設けられてもよい。
【００４４】
カバー１０３には、本体１０１の内部、つまり、感光体１２３側に突出したアクチュエータ１０３ａを含む。アクチュエータ１０３ａは除電光源１１０の個数ほど備えられる。
【００４５】
一方、各現像カートリッジ１２０は、所定の色相のトナーを保存するカートリッジケーシング（図示せず）、前記カートリッジケーシングに収容される帯電ローラ１２１、現像ローラ１２２、及び感光体１２３を含む。
【００４６】
除電光源１１０は、各感光体１２３ごとに一つのＬＥＤとして設けられてもよい。そして、図３ｂ及び図４ｂに示すように、除電光源１１０は、感光体１２３Ｋの長手方向に沿って除電光ＥＢを照射するように感光体１２３Ｋの一側に設けることができる。
【００４７】
除電光源調節部１４０は、除電を要する感光体１２３の個数ほど備えられる。除電光源調節部１４０は、図３ａ及び図３ｂに示すように、光遮断部材１４１、除電光源支持部材１４２、第１リンク１４３、及び第２リンク１４５を含む。
【００４８】
光遮断部材１４１は、除電光源１１０と前記感光体１２３の表面との間の光経路上に設けられ、図３ｂ及び図４ｂにそれぞれ示すように、遮断位置と遮断解除位置との間を移動する。光遮断部材１４１は
除電光源１１０から放出される光の全部或いは一部を 遮断位置で遮断できるように設けられる。
【００４９】
前記遮断位置は、前記除電光が前記感光体１２３の表面に到逹することを遮断する前記光遮断部材の位置である。そして、遮断解除位置は、前記遮断位置から離隔して前記除電光が前記感光体１２３の表面に到逹するように前記除電光を通過させる位置である。
【００５０】
除電光源支持部材１４２は、図示されていないフレームに設置されて前記除電光源１１０を支持する。そして、除電光源支持部材１４２は、前記遮断部材１４１によって開放または閉鎖される除電光通過開口（図４ｂの１４２ａ）を有する。前記除電光通過開口（図４ｂの１４２ａ）を通過した除電光は、感光体１２３の表面の長手方向に照射されて感光体１２３を除電させる。必要ならば、この除電光通過開口（図４ｂの１４２ａ）は現像カートリッジ１２０のケイシングに形成できる。この場合、除電光源１１０は前記ケイシングの外部に配置された外部光源であることも可能である。
【００５１】
第１リンク１４３は、前記カバー１０３のアクチュエーター１０３ａによって接触及び接触解除することによって、固定ヒンジ１４４を中心に第１位置（図４ａのＣ）と第２位置（図３ａのＡ）との間を回転する。前記固定ヒンジ１４４にはトーションコイルスプリング（図示せず）が設置されて、前記第１リンク１４３が反時計方向Ｄに回転するように第１リンク１４３に回転モーメントを加える。
【００５２】
これにより、アクチュエータ１０３ａによって接触解除することによって、前記第１リンク１４３は反時計方向Ｄに回転して前記第１位置（図４ａのＣ）から前記第２位置（図３ａのＡ）に移動する。
【００５３】
また、第１リンク１４３は、前記アクチュエーター１０３ａによって接触する第１リンク接触部１４３ａをさらに含む。
【００５４】
一方、第２リンク１４５は、第１リンク１４３にピン１４６によって連結され、第１リンク１４３が前記第１位置（図４ａのＣ）及び前記第２位置（図３ａのＡ）に移動することによって、前記光遮断部材１４１をそれぞれ前記遮断解除位置及び前記遮断位置に移動させる。
【００５５】
また、第２リンク１４５は、図３ａに示すように、光遮断部材１４１と一体で移動可能に備えることができる。
【００５６】
一方、画像形成装置１００は、除電光源１１０に電源を供給する電源供給部（図示せず）、カバー１０３の開閉を感知する感知センサー（図示せず）、及び感知センサーの信号によってカバーの開閉時にそれぞれ前記除電光源１１０の電源をＯＦＦ／ＯＮさせるように前記電源供給部を制御する制御部（図示せず）をさらに含むことができる。
【００５７】
必要に応じ、画像形成装置１００は、前記第１リンク１４３がカバー１０３の開閉に連動する代りに、前記第１リンク１４３をそれぞれ第２位置（図３ａのＡ）及び第１位置（図４ａのＣ）に回転させる電気駆動モータと、前記感知センサーの信号によって前記電気駆動モータを制御する制御部（図示せず）とをさらに含むことができる。
【００５８】
以上の構成要素を有する本発明の第１実施形態による画像形成装置１００のカラー画像印刷過程を簡略に説明する。図４ａに示すように、カバー１０３が閉鎖された状態で、まず、給紙カセット１７０に積載した印刷媒体はピックアップローラ（図示せず）によって一枚ずつ分離されて媒体移送部１６０に給紙される。給紙された印刷媒体は、媒体移送部１６０によって各現像カートリッジ１２０及び各転写ローラ１３３の間に移送される。
【００５９】
一方、イエロ現像カートリッジ１２０Ｙの感光体１２３Ｙは、光走査装置（図示せず）によってイエロ色相の画像情報に対応する光ＬＢに露光され、感光体１２３Ｙの表面に静電潜像が形成される。この静電潜像は、イエロ現像カートリッジ１２０Ｙ内部の現像ローラ１２２Ｙによってイエロトナーで現像される。これによって、感光体１２３Ｙの表面にはイエロトナーで構成されたイエロトナーの可視画像が形成される。
【００６０】
このイエロトナーの可視画像は、転写ローラ１３３Ｙの電気的引力によって感光体１２３Ｙと転写ローラ１３３Ｙとを通過する印刷媒体に転写される。
【００６１】
転写後、感光体１２３Ｙの表面は除電光源１１０によって除電される。光遮断部材１４１は、カバー１０３が本体１０１の開口を閉鎖している状態では、アクチュエータ１０３ａが第１リンク接触部１４３ａに接触されている。これによって、第１リンク１４３は固定ヒンジ１４４を中心に時計方向Ｇに回転して、第２リンク１４５をＪ方向に移動させる。これによって、図４ｂに示すように、光遮断部材１４１が遮断解除位置に移動して除電光源１１０の除電光が感光体１２３Ｙの表面に到逹することによって、感光体１２３Ｙが除電される。
【００６２】
一方、順次に、マゼンタ、シアン及びブラックトナーの可視画像が各感光体１２３Ｍ、１２３Ｃ、１２３Ｋに形成され、前記イエロトナーの可視画像に重畳的に転写されることによって完全なカラートナーの画像が印刷媒体に形成される。完全なカラートナーの画像は、図示されていない定着機を通過しながら熱と圧力によって印刷媒体に定着する。定着した印刷媒体が本体１０１の外部に排出されることによってカラー印刷が完了する。
【００６３】
ここで、使用者が、画像形成過程中にカバー１０３を開放する場合、図３ａに示すように、カバー１０３が反時計方向Ｂに回転する。これにより、第１リンク接触部１４３ａがアクチュエータ１０３ａから接触解除することによって、図示していない前記トーションコイルスプリングによって第１リンク１４３は時計方向Ｄに弾性回転する。それで、第１リンク１４３は第２位置にあるようになり、第２リンク１４５はＥ方向に移動して前記光遮断部材１４１を除電光が感光体１２３Ｋに向かう遮断位置に移動させる。
【００６４】
これにより、カバー１０３の開放時に除電光源１１０に電源が供給されても、器具的に除電光を遮断することによって、使用者が前記除電光に露出されることを防止することができる。
【００６５】
また、前記除電光によって感光体１２３が過度に露出されて感光体１２３が損傷することが防止できる。
【００６６】
また、カバー１０３の開放時に外部から流入する異物によって除電光源１１０が汚染することが防止できる。
【００６７】
（第２実施形態）
図６ｂ及び図７ｂは、それぞれ図６ａのＶ部分及び図７ａのＶＩ部分の要部平面図である。
【００６８】
本発明の第２実施形態による画像形成装置１００ａは、図６ａ〜図７ｂに示すように、除電光源調節部１４０ａを含む。その他の構成要素は第１実施形態と同一であるので、詳細な説明は省略する。そして、除電光源調節部１４０ａは、便宜上、ブラック現像カートリッジ１２０Ｋの感光体１２３Ｋを除電する除電光源１１０にだけ図示したが、その他の感光体１２３Ｙ、１２３Ｍ、１２３Ｃを除電する除電光源にも適用される。
【００６９】
除電光源調節部１４０ａは、固定ヒンジ１４４を中心に回転する第１リンク１４３、第１リンク１４３にピン１４６によって連結され、第１リンク１４３の回転に連動して光源支持部材１４７を移動させる第２リンク１４８、及び光源支持部材１４７を含む。
【００７０】
カバー１０３のアクチュエータ１０３ａが第１リンク１４３から接触解除すれば、固定ヒンジ１４４を中心に前記第１リンク１４３を時計方向Ｎに回転させるように前記固定ヒンジ１４４にはトーションコイルスプリング（図示せず）が備えられる。
【００７１】
そして、第２リンク１４８のピン１４６が連結された側の反対側には、光源支持部材１４７を移動させる光源支持部材の作動片１４８ａが備えられる。
【００７２】
光源支持部材作動片１４８ａは、図６ｂに示すように、感光体１２３Ｋ側に突出した突起形状に形成できる。
【００７３】
一方、光源支持部材１４７は、回転中心ピン１４７ａを中心に回転可能に備えられる。そして、光源支持部材１４７は、除電光源１１０を支持する光源支持片１４７Ｃ、及び前記光源支持部材の作動片１４８ａによって作動する被作動片１４７ｂを含む。そして、光源支持片１４７Ｃ及び被作動片１４７ｂは一体で移動可能に備えられる。必要に応じ、光源支持片１４７Ｃ及び被作動片１４７ｂは一体に形成することもできる。
【００７４】
また、光源支持部材１４７は、前記回転中心ピン１４７ａを中心に反時計方向（図７ｂのＷ）に回転するように、前記光源支持部材１４７に弾性力を加えるトーションコイルスプリング（図示せず）を前記回転中心ピン１４７ａに挿入してもよい。
【００７５】
必要に応じ、画像形成装置１００ａは、前記光源支持部材１４７を駆動する電気駆動部（図示せず）、前記カバー１０３の開閉を感知する感知センサー（図示せず）、及び前記感知センサーの信号によって前記カバー１０３が開放及び閉鎖されたことと判断された場合、それぞれ前記光源支持部材１４７を前記遮断位置及び前記遮断解除位置に回転させるように前記電気駆動モータを制御する制御部（図示せず）をさらに含むことができる。
【００７６】
続いて、カバー１０３が開放回動Ｂを行う場合に、除電光源１１０の除電光が遮断される過程について説明する。
【００７７】
まず、カバー１０３がヒンジＨを中心に開放回動（Ｂ）を行うと、第１リンク１４３は時計方向Ｎに回転し、これによって第２リンク１４８もＱ方向に移動する。これによって、図６に示されているように、第２リンク１４８の光源支持部材の作動片１４８ａが光源支持部材１４７の被作動片１４７ｂを時計方向に回転させて、除電光源１１０が感光体１２３Ｋ側の反対方向に除電光を照射するようになる。ここで光源支持片１４７Ｃは除電光源１１０から出射された除電光が感光体１２３Ｋの側に進行することを遮断する光遮断部材としての役割も行う。
【００７８】
そして、被作動片１４７ｂは光源支持部材の作動片１４８ａによって支持されて、光源支持部材１４７が時計方向に回転しない。必要に応じ、微弱な除電光源１１０の除電光が、感光体１２３Ｋに到逹することを完全に遮断するために、フレーム１０４をさらに設けることもできる。フレーム１０４は光が遮断できるように非透明材質で形成することができる。
【００７９】
一方、図７ａ及び図７ｂに示すように、カバー１０３を閉鎖回動（Ｆ）すると、第１リンク１４３は反時計方向Ｕに回転し、これによって第２リンク１４８もＳ方向に移動するようになる。それで、光源支持部材の作動片１４８ａがＳ方向に移動することによって、被作動片１４７ｂは時計方向Ｗに回転する。これによって、除電光源１１０が感光体１２３Ｋ側に除電光を照射する。
【００８０】
これにより、除電光源１１０の除電光の照射角度を変動させることによって、選択的に除電光が前記感光体１２３に到逹することを遮断することができる。これによって、上述した第１実施形態と同一の効果を得ることができる。
【００８１】
（第３実施形態）
図８ｂ及び図９ｂは、それぞれ図８ａのＶＩＩ分及び図９ａのＶＩＩＩ部分の要部平面図である。
【００８２】
本発明の第３実施形態による画像形成装置１００Ｃは、図８ａ〜図９ｂに示すように、除電光源調節部１４０ｂ、弾性部材１５３、及び弾性部材支持フレーム１５５を含む。その他の構成要素は第１実施形態と同一であるので、詳細な説明は省略する。そして、除電光源調節部１４０ｂは、便宜上、ブラック現像カートリッジ１２０Ｋの感光体１２３Ｋを除電する除電光源１１０にだけ図示したが、その他の感光体１２３Ｙ、１２３Ｍ、１２３Ｃを除電する除電光源にも適用される。
【００８３】
除電光源調節部１４０ｂは、固定ヒンジ１４４を中心に回転する第１リンク１４３、第１リンク１４３にピン１４６によって連結され、第１リンク１４３の回転に連動して光源支持部材１４９をスライド移動させる第２リンク１４８、及び光源支持部材１４９を含む。
カバー１０３のアクチュエータ１０３ａが第１リンク１４３から接触解除すると、固定ヒンジ１４４を中心に前記第１リンク１４３が反時計方向Ｌに回転するように、前記固定ヒンジ１４４にはトーションコイルスプリング（図示せず）が備えられる。
【００８４】
そして、第２リンク１４８のピン１４６が連結された側の反対側には、光源支持部材１４９を移動させる光源支持部材の作動片１４８ａが備えられる。
【００８５】
光源支持部材の作動片１４８ａは、図８ｂに示すように、感光体１２３Ｋ側に突出した突起形状に形成できる。
【００８６】
一方、光源支持部材１４９は、感光体１２３Ｋの長手方向の横手方向Ｒに沿ってスライド移動可能に備えられる。そして、光源支持部材１４７のスライド移動を案内する案内部材（図示せず）をさらに含むことができる。
【００８７】
光源支持部材１４９は、除電光源１１０を支持する光源支持片１４９ｂ、及び前記光源支持部材の作動片１４８ａによって作動する被作動片１４９ａを含む。そして、光源支持片１４９ｂ及び被作動片１４９ａは一体で移動可能に備えられる。必要に応じ、光源支持片１４９ｂ及び被作動片１４９ａは一体に形成してもよい。
【００８８】
また、光源支持部材１４９と弾性部材支持フレーム１５５との間には、光源支持部材１４９が感光体１２３Ｋに接近するように光源支持部材１４９に弾性力を加える弾性部材１５３が備わる。
【００８９】
続いて、カバー１０３が開放回動Ｂを行う場合に、除電光源１１０の除電光が遮断される過程について説明する。
【００９０】
まず、カバー１０３がヒンジＨを中心に開放回動（Ｂ）を行うと、第１リンク１４３は時計方向Ｌに回転し、これによって第２リンク１４８もＲ方向に移動する。これによって、第２リンク１４８の光源支持部材の作動片１４８ａが光源支持部材１４９の被作動片１４９ａを同一のＲ方向に移動させる。これによって、光源支持部材１４９が、除電光源１１０の除電光が感光体１２３Ｋに到逹しない遮断位置にスライド移動するようになる。一方、第２実施形態のフレーム１０４をさらに設けることで、微細な除電光が感光体１２３Ｋに到逹することを完全に遮断することができる。
【００９１】
一方、図９ａ及び図９ｂに示すように、カバー１０３を閉鎖回動（Ｆ）すると、第１リンク１４３は反時計方向Ｙに回転し、これによって第２リンク１４８もＸ方向に移動するようになる。それで、光源支持部材作動片１４８ａがＸ方向に移動することによって、被作動片１４９ａは弾性部材１５３の弾性力によって同一のＸ方向に移動する。これにより、除電光源１１０の除電光が感光体１２３Ｋの表面に到逹するようになって感光体１２３Ｋが除電される。
【００９２】
これにより、除電光源１１０をスライド移動させることによって、選択的に除電光が前記感光体１２３に到達及び到逹することを遮断することができる。
【００９３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００９４】
【図１】従来の画像形成装置の要部概略断面図である。
【図２】図１の画像形成装置の要部斜視図である。
【図３ａ】本発明の第１実施形態による画像形成装置のカバー開放時の概略断面図である。
【図３ｂ】本発明の第１実施形態による画像形成装置のカバー開放時の要部平面図である。
【図４ａ】図３ａの画像形成装置のカバー閉鎖時の概略断面図である。
【図４ｂ】図３ａの画像形成装置のカバー閉鎖時の要部平面図である。
【図５】図４ａの画像形成装置の要部斜視図である。
【図６ａ】本発明の第２実施形態による画像形成装置のカバー開放時の概略断面図である。
【図６ｂ】本発明の第２実施形態による画像形成装置のカバー開放時の要部平面図である。
【図７ａ】図６ａの画像形成装置のカバー閉鎖時の概略断面図である。
【図７ｂ】図６ａの画像形成装置のカバー閉鎖時の要部平面図である。
【図８ａ】本発明の第３実施形態による画像形成装置のカバー開放時の概略断面図である。
【図８ｂ】本発明の第３実施形態による画像形成装置のカバー開放時の要部平面図である。
【図９ａ】図８ａの画像形成装置のカバー閉鎖時の概略断面図である。
【図９ｂ】図８ａの画像形成装置のカバー閉鎖時の要部平面図である。
【符号の説明】
【００９５】
１００、１００ａ、１００ｂ  画像形成装置
１０３  カバー
１０３ａ  アクチュエータ
１０４  フレーム
１１０  除電光源
１２０Ｙ、１２０Ｍ、１２０Ｃ、１２０Ｋ  現像カートリッジ      
１４０  除電光源調節部
１４１  光遮断部材
１４２、１４７、１４９  除電光源支持部材
１４３  第１リンク
１４４  固定ヒンジ
１４５、１４８  第２リンク
１４６  ピン
１５３  弾性部材
１５５  弾性部材支持フレーム
【図１】
2008197628.tif 000003
【図２】
2008197628.tif 000004
【図３ａ】
2008197628.tif 000005
【図３ｂ】
2008197628.tif 000006
【図４ａ】
2008197628.tif 000007
【図４ｂ】
2008197628.tif 000008
【図５】
2008197628.tif 000009
【図６ａ】
2008197628.tif 000010
【図６ｂ】
2008197628.tif 000011
【図７ａ】
2008197628.tif 000012
【図７ｂ】
2008197628.tif 000013
【図８ａ】
2008197628.tif 000014
【図８ｂ】
2008197628.tif 000015
【図９ａ】
2008197628.tif 000016
【図９ｂ】
2008197628.tif 000017